(57)【要約】【課題】ユーザが必要とするパケット通信を停止することなく、ユーザの使用状況に応じて移動局の消費電力を削減する。【解決手段】基地局装置のプログラムであって、移動局装置から無線接続を確立するためのリクエストと共に、移動局装置の使用状況を示す情報を取得する（ステップＳ１）。使用状況を示す情報が、移動局装置の使用を示す場合、相対的に長い時間を第１のタイマーに設定する一方、使用状況を示す情報が、移動局装置の非使用を示す場合、相対的に短い時間を前記第１のタイマーに設定する。移動局装置に対するパケットの送信が終了した時点で（ステップＳ４）、第１のタイマーを起動させ（ステップＳ６、Ｓ７）、第１のタイマーが満了した時点で移動局装置に対して制御信号を送信して（ステップＳ８）、移動局装置との無線接続を切断する（ステップＳ１１）。【選択図】図３
2015050577.tif 000002
【特許請求の範囲】
【請求項１】
移動局装置と無線通信を行なう基地局装置のプログラムであって、
前記移動局装置から無線接続を確立するためのリクエストと共に、前記移動局装置の使用状況を示す情報を取得する処理と、
前記使用状況を示す情報が、前記移動局装置の使用を示す場合、相対的に長い時間を第１のタイマーに設定する一方、前記使用状況を示す情報が、前記移動局装置の非使用を示す場合、相対的に短い時間を前記第１のタイマーに設定する処理と、
前記移動局装置に対するパケットの送信が終了した時点で前記第１のタイマーを起動させ、前記第１のタイマーが満了した時点で前記移動局装置に対して制御信号を送信して前記移動局装置との無線接続を切断する処理と、の一連の処理をコンピュータに実行させることを特徴とするプログラム。
【請求項２】
移動局装置と無線通信を行なう基地局装置のプログラムであって、
前記移動局装置から無線接続を確立するためのリクエストと共に、前記移動局装置の使用状況を示す情報を取得する処理と、
前記使用状況を示す情報が、前記移動局装置の使用を示す場合、相対的に長い時間をＣ−ＤＲＸ（CONNECTED Discontinuous Reception）の開始タイミングを定める第２のタイマーを設定する一方、前記使用状況を示す情報が、前記移動局装置の非使用を示す場合、相対的に短い時間を前記第２のタイマーに設定する処理と、
前記移動局装置に対するパケットの送信が終了した時点で前記第２のタイマーを起動させ、前記第２のタイマーが満了した時点で制御信号を間欠的に送信する処理と、の一連の処理をコンピュータに実行させることを特徴とするプログラム。
【請求項３】
前記使用状況を示す情報が、前記移動局装置の使用中を示す場合、相対的に長い時間を前記第１のタイマーに設定する処理と、
前記使用状況を示す情報が、前記移動局装置の非使用を示す場合、パケット通信の発生をモニタリングする期間を定める第３のタイマーが満了しているかどうかを判断し、前記第３のタイマーが満了していない場合は、相対的に長い時間を前記第３のタイマーに設定する一方、前記第３のタイマーが満了している場合は、相対的に短い時間を前記第３のタイマーに設定する処理と、を更に含むことを特徴とする請求項１記載のプログラム。
【請求項４】
基地局装置と無線通信を行なう移動局装置のプログラムであって、
ユーザの使用状況を判定する処理と、
無線接続を確立するためのリクエストと共に、前記使用状況を示す情報を前記基地局装置に通知する処理と、
前記基地局装置から制御信号を受信してアイドル状態に遷移する処理と、の一連の処理をコンピュータに実行させることを特徴とするプログラム。
【請求項５】
移動局装置と無線通信を行なう基地局装置であって、
前記移動局装置から無線接続を確立するためのリクエストと共に、前記移動局装置の使用状況を示す情報を取得する無線通信部と、
前記使用状況を示す情報が、前記移動局装置の使用を示す場合、相対的に長い時間を第１のタイマーに設定する一方、前記使用状況を示す情報が、前記移動局装置の非使用を示す場合、相対的に短い時間を前記第１のタイマーに設定するタイマー設定部と、
前記移動局装置に対するパケットの送信が終了した時点で前記第１のタイマーを起動させ、前記第１のタイマーが満了した時点で前記移動局装置に対して制御信号を送信して前記移動局装置との無線接続を切断する無線制御部と、を備えることを特徴とする基地局装置。
【発明の詳細な説明】
【技術分野】
【０００１】
本発明は、移動局装置の使用状況に応じて消費電力を削減する技術に関する。
【背景技術】
【０００２】
従来から、ＬＴＥ（Long Term Evolution）では、移動局装置の状態として“RRC CONNECTED状態”と“RRC IDLE状態”の２つの状態が定義されている。この“RRC”とは、「Radio Resource Control）」の略称である。
【０００３】
“RRC CONNECTED状態”の特徴は、次の通りである。
・移動局と基地局の間で無線接続が確立されており、パケット通信が可能。
・基地局からパケット通信を行なうための無線リソースを割り当てられ、ＰＤＣＣＨで通知される。
・パケット通信時以外でも無線接続を維持するためにＰＤＣＣＨを連続的に受信しているため消費電力は高い。
【０００４】
一方、“RRC IDLE状態”の特徴は、次の通りである。
・移動局と基地局の間で無線接続は確立されておらず、パケット通信はできない。
・パケット通信を行なう際には、無線接続を確立し、“RRC CONNECTED状態”に遷移する必要がある。
・基地局からページング（着信情報）を間欠受信する。
・消費電力は低い。
【０００５】
移動局がパケット通信を行なう場合、基地局と無線接続を確立して“RRC CONNECTED状態”で行なう。パケット通信終了後も次のパケット通信に備え、“RRC CONNECTED状態”のまま一定時間、無線接続を維持する。そして、一定時間、無通信の状態が継続する場合は、無線リソースの効率化と移動局の低消費電力化のために、無線接続を切断し、“RRC IDLE状態”に遷移する。
【０００６】
このように、移動局が“RRC CONNECTED状態”と“RRC IDLE状態”の間で状態遷移をする際には、移動局と基地局との間で複数の制御信号がやりとりされる。移動局が頻繁に状態遷移を繰り返すと、大量の制御信号が発生し、ネットワークに対し大きな負荷となる。このため、移動局の制御信号は極力少なくする必要がある。
【０００７】
このため、特許文献１記載の技術では、移動局が送受信するパケット通信の有無を検出する機能を基地局に設け、パケット通信終了後、一定時間パケット通信が行なわれなければ、移動局を“RRC IDLE状態”に遷移させることが提案されている。
【先行技術文献】
【特許文献】
【０００８】
【特許文献１】国際公開第ＷＯ２０１３／０３９１４６号公報
【特許文献２】特開２０１０−０４４７３２号公報
【発明の概要】
【発明が解決しようとする課題】
【０００９】
しかしながら、パケット通信の有無を測定している一定期間は、移動局は“RRC CONNECTED状態”を維持する。この“RRC CONNECTED状態”は、前述のように消費電力の多い状態であり、一定期間“RRC CONNECTED状態”を維持することは、移動局の電池残量を早期に減らしてしまう恐れがある。特に、ユーザが移動局を使用していないときは、パケット通信が連続して発生する可能性は低く、消費電力が高い状態の一定期間が無駄になってしまう可能性が高い。
【００１０】
本発明は、このような事情に鑑みてなされたものであり、ユーザが必要とするパケット通信を停止することなく、ユーザの使用状況に応じて移動局の消費電力を削減することができるプログラムおよび基地局装置を提供することを目的とする。
【課題を解決するための手段】
【００１１】
上記の目的を達成するために、本発明は、以下のような手段を講じた。すなわち、本発明のプログラムは、移動局装置と無線通信を行なう基地局装置のプログラムであって、前記移動局装置から無線接続を確立するためのリクエストと共に、前記移動局装置の使用状況を示す情報を取得する処理と、前記使用状況を示す情報が、前記移動局装置の使用を示す場合、相対的に長い時間を第１のタイマーに設定する一方、前記使用状況を示す情報が、前記移動局装置の非使用を示す場合、相対的に短い時間を前記第１のタイマーに設定する処理と、前記移動局装置とのパケット通信が終了した時点で前記第１のタイマーを起動させ、前記第１のタイマーが満了した時点で前記移動局装置に対して制御信号を送信して前記移動局装置との無線接続を切断する処理と、の一連の処理をコンピュータに実行させることを特徴とする。
【００１２】
このように、使用状況を示す情報が、移動局装置の使用を示す場合、相対的に長い時間を第１のタイマーに設定する一方、使用状況を示す情報が、移動局装置の非使用を示す場合、相対的に短い時間を第１のタイマーに設定し、移動局装置とのパケット通信が終了した時点で第１のタイマーを起動させ、第１のタイマーが満了した時点で移動局装置に対して制御信号を送信して移動局装置との無線接続を切断するので、移動局装置の使用状況を示す情報が、移動局装置の使用を示す場合は、次のパケット通信に備えて無線接続を維持することができる。一方、使用状況を示す情報が、移動局装置の非使用を示す場合は、ユーザが移動局装置を使用しておらず、パケット通信が連続して発生する可能性が低いので、無線接続時間を短くすることによって、移動局装置の消費電力を抑えることが可能となる。
【００１３】
また、本発明のプログラムは、移動局装置と無線通信を行なう基地局装置のプログラムであって、前記移動局装置から無線接続を確立するためのリクエストと共に、前記移動局装置の使用状況を示す情報を取得する処理と、前記使用状況を示す情報が、前記移動局装置の使用を示す場合、相対的に長い時間をＣ−ＤＲＸ（CONNECTED Discontinuous Reception）の開始タイミングを定める第２のタイマーを設定する一方、前記使用状況を示す情報が、前記移動局装置の非使用を示す場合、相対的に短い時間を前記第２のタイマーに設定する処理と、前記移動局装置とのパケット通信が終了した時点で前記第２のタイマーを起動させ、前記第２のタイマーが満了した時点で制御信号を間欠的に送信する処理と、の一連の処理をコンピュータに実行させることを特徴とする。
【００１４】
このように、使用状況を示す情報が、移動局装置の使用を示す場合、相対的に長い時間をＣ−ＤＲＸ（CONNECTED Discontinuous Reception）の開始タイミングを定める第２のタイマーを設定する一方、使用状況を示す情報が、移動局装置の非使用を示す場合、相対的に短い時間を前記第２のタイマーに設定し、移動局装置とのパケット通信が終了した時点で第２のタイマーを起動させ、第２のタイマーが満了した時点で制御信号を間欠的に送信するので、使用状況を示す情報が、移動局装置の使用を示す場合は、次のパケット通信に備えて無線接続を維持することができる。一方、使用状況を示す情報が、移動局装置の非使用を示す場合は、ユーザが移動局装置を使用しておらず、パケット通信が連続して発生する可能性が低いので、移動局装置にＣ−ＤＲＸを早めに開始させることによって、移動局装置の消費電力を抑えることが可能となる。
【発明の効果】
【００１５】
本発明によれば、ユーザが必要とするパケット通信を停止することなく、ユーザの使用状況に応じて移動局の消費電力を削減することが可能となる。
【図面の簡単な説明】
【００１６】
【図１】第１の実施形態に係る移動局および基地局の動作を示すシーケンスチャートである。
【図２】第２の実施形態に係る移動局および基地局の動作を示すシーケンスチャートである。
【図３】本実施形態に係る基地局の動作を示すフローチャートである。
【図４】従来技術において、ユーザが使用していないときの移動局のパケット通信時の消費電力の状態である。
【図５】本実施形態において、ユーザが使用していないときの移動局のパケット通信時の消費電力の状態である。
【図６】従来技術において、ユーザが使用していない時の移動局のパケット通信時の消費電力の状態を示す図である。
【図７】本実施形態において、ユーザが使用していない時の移動局のパケット通信時の消費電力の状態を示す図である。
【図８】従来技術において、ユーザが使用していない時の移動局においてパケット通信が頻発した時の消費電力の状態を示す図である。
【図９】本実施形態において、ユーザが使用していない時の移動局においてパケット通信が頻発した時の消費電力の状態を示す図である。
【図１０】本実施形態に係る基地局の動作を示すフローチャートである。
【図１１】本実施形態に係る基地局の動作を示すフローチャートである。
【図１２】本実施形態に係る基地局装置のブロック図である。
【図１３】本実施形態に係る移動局装置のブロック図である。
【発明を実施するための形態】
【００１７】
本実施形態では、３ＧＰＰ（3rd Generation Partnership Project）標準におけるＬＴＥ（Long Term Evolution）方式の移動局（UE）と基地局（eNodeB）の場合を例にとって説明する。
【００１８】
図１２は、本実施形態に係る基地局装置のブロック図である。この基地局装置１０は、無線通信部１１において、移動局装置から無線接続を確立するためのリクエストと共に、移動局装置の使用状況を示す情報を取得する。また、タイマー設定部１３は、移動局装置から取得した使用状況を示す情報が、移動局装置の使用を示す場合、相対的に長い時間をタイマー１７に設定する一方、使用状況を示す情報が、移動局装置の非使用を示す場合、相対的に短い時間をタイマー１７に設定する。無線制御部１５は、移動局装置に対するパケットの送信が終了した時点でタイマー１７を起動させ、タイマー１７が満了した時点で移動局装置に対して制御信号を送信して移動局装置との無線接続を切断する。なお、タイマー１７は、第１のタイマー、第２のタイマーおよび第３のタイマーを構成する。これらの構成要素は、制御バス１９を介して相互にデータを送受信する。
【００１９】
図１３は、本実施形態に係る移動局装置のブロック図である。この移動局装置２０は、使用状況判定部２１でユーザによる自装置の使用状況を判定する。通知部２３は、無線接続を確立するためのリクエストと共に、使用状況を示す情報を基地局装置に通知する。制御部２５は、基地局装置から制御信号を受信してアイドル状態に遷移する。これらの構成要素は、制御バス２７を介して、相互にデータを送受信する。
【００２０】
（第１の実施形態）
図１は、第１の実施形態に係る移動局および基地局の動作を示すシーケンスチャートである。移動局は、パケット通信の開始時に、ユーザの移動局の使用状況を基地局に通知する。基地局は、ユーザの使用状況に応じて無線接続の維持時間を決定する。図１において、パケットデータが発生した場合（１）、ＵＥ（移動局）は、ユーザの移動局の使用状況、すなわち、“使用している”または“使用していない”を判断する（２）。具体的には、ディスプレイの点灯状態と音声の出力状態を確認する。
【００２１】
確認した結果、ディスプレイがＯＮ状態、または音声がＯＮ状態のいずれかであれば、ユーザは移動局を使用していると判断する（使用中）。一方、ディスプレイがＯＦＦ状態、かつ音声もＯＦＦ状態であれば、ユーザは移動局を使用していないと判断する（非使用）。次に、無線接続の確立のため、移動局は、“RRC Connection Request”を基地局に送信する（３）。本実施形態では、このメッセージに移動局の利用状態の情報（使用中／非使用）を含ませて、基地局に通知する。
【００２２】
基地局は、“RRC Connection Setup”を移動局に通知して、無線接続の確立に必要な情報を通知する（４）。移動局は、“RRC Connection Setup Complete”を基地局に送信して、無線接続を確立し、“RRC CONNECTED状態”に遷移する（５）。
【００２３】
移動局はパケット通信を行なう（６）。パケット通信の終了後、基地局は、移動局の使用状況に対応した“Release Timer”を開始させる（７）。ここで、“Release Timer”とは、パケット通信終了後に、基地局が移動局と無線接続を維持する時間のタイマーのことである。パケット通信終了後にカウントを始め、タイマーが満了したら、“RRC Connection Release”を移動局に送信し、移動局との無線接続を切断する。
【００２４】
基地局では、移動局が“使用中”であれば“Long Release timer”を開始する。一方、移動局が“非使用”であれば“Short Release Timer”を開始する。ここで、“Short Release Timer”は“Long Release Timer”よりも短い値で設定する。例えば、“Long Release Timer”は１０秒、“Short Release Timer”は２秒（０秒でも可）と設定する。このようにタイマーを設定することによって、移動局が“使用中”である時はパケット通信終了後も無線接続を長く維持し、移動局が“非使用”である時はパケット通信終了後、無線接続をすぐに切断することが可能となる。
【００２５】
“Release Timer”が満了するまで、基地局は移動局との無線接続を維持するために、ＰＤＣＣＨを移動局に送信する（８）。ここで、ＰＤＣＣＨ（Physical Dedicated Control Channel）とは、基地局が移動局との無線接続を維持するために、移動局に無線リソースの割当情報を通知できる制御チャネルのことである。
【００２６】
“Release Timer”が満了すると（９）、基地局は“RRC Connection Release”を移動局に送信して、無線接続を切断する（１０）。移動局は“RRC IDLE状態”に遷移する。
【００２７】
＜変形例＞
第１の実施形態では、図１の（２）において、ユーザの使用状況をディスプレイの状態と音声出力の状態で判断したが、本発明は、これに限定されるわけではなく、これ以外にも、加速度センサの検出状態やバイブレーションの振動状態等により、ユーザの使用状況を判断しても良い。
【００２８】
図３は、本実施形態に係る基地局の動作を示すフローチャートである。図３において、移動局から使用状況の情報を含んだ“RRC Connection Request”を受信する（ステップＳ１）。次に、移動局に“RRC Connection Setup”を送信し、移動局を“RRC CONNECTED状態”に遷移させる（ステップＳ２）。次に、移動局とパケット通信を実施し（ステップＳ３）、パケット通信が終了したら（ステップＳ４）、ユーザによる移動局の使用状況を判断し、移動局の利用状態に対応した“Release Timer”を開始する（ステップＳ５）。すなわち、ステップＳ５において、移動局が“使用中”の場合は３００秒の“Long Release Timer”を開始する（ステップＳ７）。一方、ステップＳ５において、移動局が“非使用”の場合は、５秒の“Short Release Timer”を開始する（ステップＳ６）。
【００２９】
基地局は、“Release Timer”が終了するまでは、無線リソース割当のスケジュール情報を通知するためＰＤＣＣＨを移動局に送信する（ステップＳ８）。この間、移動局と新たなパケット通信が行なわれたかどうかを判断し（ステップＳ９）、移動局と新たなパケット通信が行なわれた場合は、ステップＳ２に遷移して、再び“Release Timer”をリセットし、パケット通信の終了後、再びRelease Timerを開始させる。一方、ステップＳ９において、新たなパケット通信が無い場合は、“Release Timer”が満了したかどうかを判断し（ステップＳ１０）、“Release Timer”が満了していない場合は、ステップＳ８に遷移する。“Release Timer”が満了した場合は、移動局に“RRC Connection Release”を送信し、移動局を“RRC IDLE状態”に遷移させて（ステップＳ１１）、終了する。
【００３０】
図４は、従来技術において、ユーザが使用していないときの移動局のパケット通信時の消費電力の状態である。図５は、本実施形態において、ユーザが使用していないときの移動局のパケット通信時の消費電力の状態である。図４と図５を対比すると明らかなように、本実施形態によれば、パケット通信後の無線接続の維持時間が短くなり、移動局の消費電力を削減することが可能となる。すなわち、ユーザの移動局に対する使用状況に応じて、移動局の消費電力を低減することが可能となる。
【００３１】
（第２の実施形態）
３ＧＰＰ標準のＬＴＥ方式では、“RRC CONNECTED状態”の移動局の消費電力を低減させるために、Ｃ−ＤＲＸ（CONNECTED Discontinuous Reception、以下、「ＣＤＲＸ」と表記する。）がオプションで標準化されている。通常、“RRC CONNECTED状態”である移動局は、ＰＤＣＣＨを連続して受信しているが、“CDRX状態”の移動局は、一定間隔で受信回路を起動させてＰＤＣＣＨの受信を行ない、それ以外の時間は受信回路を休止する。すなわち、ＣＤＲＸは、ＰＤＣＣＨの間欠受信機能である。これにより、基地局から無線リソースを割り当てられた状態（パケット通信が可能な状態）でありながら、消費電力を低く抑えることが可能となる。
【００３２】
本実施形態では、移動局がパケット通信の開始時に、ユーザの使用状況の情報を基地局に通知する。ＣＤＲＸに対応している基地局は、ユーザの移動局の使用状況に応じて、ＣＤＲＸを移動局に開始させるタイミングを決定する。
【００３３】
図２は、第２の実施形態に係る移動局および基地局の動作を示すシーケンスチャートである。移動局において、パケットデータが発生した場合（１）、移動局は、ユーザの使用状況、すなわち、“使用している”または“使用していない”を判断する（２）。具体的には、移動局のディスプレイの点灯状態と音声の出力状態を確認する。
【００３４】
確認した結果、ディスプレイがＯＮ状態、または音声がＯＮ状態のいずれかであれば、ユーザは移動局を使用していると判断し、“使用中”とする。一方、ディスプレイがＯＦＦ状態、かつ音声もＯＦＦ状態であれば、ユーザは移動局を使用していないと判断し、“非使用”とする。
【００３５】
次に、無線接続の確立のため、移動局は、“RRC Connection Request”を基地局に送信する（３）。本実施形態では、このメッセージにユーザの使用状況の情報（使用中／非使用）を含ませて、基地局に通知する。基地局は、“RRC Connection Setup”を移動局に通知して（４）、無線接続の確立に必要な情報を通知する。移動局は、“RRC Connection Setup Complete”を基地局に送信して（５）、無線接続を確立し、“RRC CONNECTED状態”に遷移する。
【００３６】
基地局は、“RRC Connection Reconfiguration”を送信して（６）、ＣＤＲＸパラメータを移動局に通知する。移動局は、“RRC Connection Reconfiguration Complete”を送信して（７）、応答を返す。そして、移動局はパケット通信を行なう（８）。
【００３７】
パケット通信の終了後、基地局は、ユーザの使用状況に対応した“CDRX Start Timer”を開始させる（９）。基地局は、移動局が“使用中”であれば“Long CDRX Start Timer”を開始する。一方、移動局が“非使用”であれば“Short CDRX Start Timer”を開始する。
【００３８】
基地局は、“CDRX Start Timer”が満了するまで、ＰＤＣＣＨを移動局に連続的に送信する（１０）。“CDRX Start Timer”が満了し（１１）、基地局はＰＤＣＣＨを間欠的に移動局に送信し（１２）、移動局はＰＤＣＣＨを間欠的に受信するＣＤＲＸを開始する（１３）。
【００３９】
図１０は、本実施形態に係る基地局の動作を示すフローチャートである。基地局は、移動局からユーザの使用状況の情報を含んだ“RRC Connection Request”を受信する（ステップＴ１）。次に、移動局に“RRC Connection Setup”を送信し、移動局を“RRC CONNECTED状態”に遷移させる（ステップＴ２）。そして、基地局は、移動局とパケット通信を行なう（ステップＴ３）。パケット通信が終了すると（ステップＴ４）、ユーザの使用状況を判断する（ステップＴ５）。すなわち、ユーザが移動局を使用している場合は、すなわち、移動局が“使用中”の場合は３００秒の“Long Release Timer”を開始する（ステップＴ７）。一方、ユーザが移動局を使用していない場合、すなわち、移動局が“非使用”の場合は、５秒の“Short Release Timer”を開始する（ステップＴ６）。
【００４０】
基地局は、“Release Timer”が終了するまでは無線リソース割当のスケジュール情報を通知するためＰＤＣＣＨを移動局に送信する（ステップＴ８）。この間、移動局と新たなパケット通信が行なわれたかどうかを判断し（ステップＴ９）、移動局と新たなパケット通信が行なわれた場合は、ステップＴ３に遷移し、再び“Release Timer”をリセットし、パケット通信の終了後、再び“Release Timer”を開始させる。
【００４１】
一方、ステップＴ９において、新たなパケット通信が無かった場合は、“CDRX Start Timer”が満了したかどうかを判断する（ステップＴ１０）。“CDRX Start Timer”が満了していない場合は、ステップＴ８に遷移し、“CDRX Start Timer”が満了した場合は、移動局にＣＤＲＸを開始させ、ＰＤＣＣＨを間欠的に送信する（ステップＴ１１）。ＣＤＲＸが終了した後、移動局に“RRC Connection Release”を送信し、移動局を“RRC IDLE状態”に遷移させる。
【００４２】
図６は、従来技術において、ユーザが使用していない時の移動局のパケット通信時の消費電力の状態を示す図である。図７は、本実施形態において、ユーザが使用していない時の移動局のパケット通信時の消費電力の状態を示す図である。図６と図７を比較すると明らかなように、パケット通信後、本実施形態によれば、従来技術よりも早くＣＤＲＸを開始することができ、移動局の消費電力を削減することが可能となる。つまり、ユーザの使用状況に応じた移動局の消費電力の低減が可能になる。
【００４３】
（第３の実施形態）
ユーザが移動局を使用していない場合でも、例えば、電子メールの連続着信等により、パケット通信が頻繁に発生する可能性がある。本実施形態では、ユーザが使用していない移動局において、パケット通信の終了後、パケット通信の有無を一定期間モニタリングし、一定時間以内にパケット通信が発生した場合は、無線接続の維持時間を長く設定する。
【００４４】
図１１は、本実施形態に係る基地局の動作を示すフローチャートである。基地局は、移動局からユーザの使用状況の情報を含んだ“RRC Connection Request”を受信する（ステップＰ１）。移動局に“RRC Connection Setup”を送信し、移動局を“RRC CONNECTED状態”に遷移させ、移動局との無線接続を確立する（ステップＰ２）。次に、基地局は、移動局とパケット通信を行なう（ステップＰ３）。
【００４５】
パケット通信の終了後（ステップＰ４）、基地局は、ユーザの使用状況を判断し（ステップＰ５）、ユーザの使用状況に対応した“Release Timer”を開始する。ユーザが移動局を使用中である場合、すなわち、移動局が“使用中”である場合は、１０秒の“Long Release Timer”を開始する（ステップＰ８）。
【００４６】
一方、ユーザが移動局を使用中でない場合、すなわち、移動局が“非使用”である場合は、“Monitoring Timer”が満了しているかを確認する（ステップＰ６）。ここで、“Monitoring Timer”とは、ユーザが使用していない時の移動局において、パケット通信が頻発した場合に、状態遷移が多くなるのを防ぐためのタイマーのことである。パケット通信終了後にカウントを開始し、“Monitoring Timer”が満了するまでの間にパケット通信が発生した場合には、そのパケット通信の終了後の無線接続の維持時間を長く設定する。
【００４７】
ステップＰ６において、“Monitoring Timer”が満了していなければ、１０秒の“Long Release Timer”を開始する（ステップＰ８）。一方、“Monitoring Timer”が満了していれば、２秒の“Short Release Timer”を開始する（ステップＰ７）。そして、“Monitoring Timer”を開始する（ステップＰ９）。
【００４８】
“Release Timer”が終了するまでは、無線リソースの割当情報をＰＤＣＣＨで移動局に通知し、移動局との無線接続を維持する（ステップＰ１０）。次に、移動局と新たなパケット通信が行なわれたかどうかを判断し（ステップＰ１１）、移動局と新たなパケット通信が行なわれた場合は、“Release Timer”をリセットし（ステップＰ１４）、ステップＰ３へ遷移して、パケット通信を実施し、ステップＰ３〜ステップＰ１０のサイクルを実施する。
【００４９】
一方、ステップＰ１１において、移動局と新たなパケット通信が実施されていなければ、“Release Timer”が満了しているかを確認する（ステップＰ１２）。“Release Timer”が満了していなければ、ステップＰ１０に遷移して無線接続を維持する。一方、ステップＰ１２において、“Release Timer”が満了していれば、移動局に“RRC Connection Release”を送信し、無線接続を切断する（ステップＰ１３）。
【００５０】
図８は、従来技術において、ユーザが使用していない時の移動局においてパケット通信が頻発した時の消費電力の状態を示す図である。図９は、本実施形態において、ユーザが使用していない時の移動局においてパケット通信が頻発した時の消費電力の状態を示す図である。
【００５１】
図９において、パケット通信（１）が発生し、パケット通信（１）の終了後に、“Monitoring Timer（１）”を開始させる。“Monitoring Timer（１）”の満了前に、次のパケット通信（２）が発生する。パケット通信（２）が“Monitoring Timer（１）”の満了前に発生した為、パケット通信（２）の終了後の無線接続の維持時間は長く設定する。
【００５２】
パケット通信（２）の終了後に“Monitoring Timer（２）”を開始させる。“Monitoring Timer（２）の満了前に、次のパケット通信（３）が発生する。パケット通信（３）が“Monitoring Timer（２）の満了前に発生した為、パケット通信（３）の終了後の無線接続の維持時間は長く設定する。
【００５３】
パケット通信（３）の終了後に“Monitoring Timer（３）”を開始させる。“Monitoring Timer（３）”の満了前に、次のパケット通信（４）が発生する。パケット通信（４）が“Monitoring Timer（３）”の満了前に発生した為、パケット通信（４）の終了後の無線接続の維持時間は長く設定する。
【００５４】
パケット通信（４）の終了後に“Monitoring Timer（４）”を開始させる。“Monitoring Timer（４）”の満了後に、次のパケット通信（５）が発生する。パケット通信（５）が“Monitoring Timer（４）”の満了後に発生した為、パケット通信（５）の終了後の無線接続の維持時間は短く設定する。
【００５５】
図８と図９との比較から明らかなように、パケット通信が頻発するときには、無線接続の維持時間を長く維持しており、パケット通信の頻度が減った時には、無線接続の維持時間が短くなっている。つまり、ユーザの使用状況とパケット通信の発生状況に応じた移動局の消費電力の低減が可能になる。
【００５６】
本発明は、以下のような態様を採ることが可能である。すなわち、本発明のプログラムは、移動局装置と無線通信を行なう基地局装置のプログラムであって、前記移動局装置から無線接続を確立するためのリクエストと共に、前記移動局装置の使用状況を示す情報を取得する処理と、前記使用状況を示す情報が、前記移動局装置の使用を示す場合、相対的に長い時間を第１のタイマーに設定する一方、前記使用状況を示す情報が、前記移動局装置の非使用を示す場合、相対的に短い時間を前記第１のタイマーに設定する処理と、前記移動局装置に対するパケットの送信が終了した時点で前記第１のタイマーを起動させ、前記第１のタイマーが満了した時点で前記移動局装置に対して制御信号を送信して、前記移動局装置との無線接続を切断する処理と、の一連の処理をコンピュータに実行させることを特徴とする。
【００５７】
また、本発明のプログラムは、移動局装置と無線通信を行なう基地局装置のプログラムであって、前記移動局装置から無線接続を確立するためのリクエストと共に、前記移動局装置の使用状況を示す情報を取得する処理と、前記使用状況を示す情報が、前記移動局装置の使用を示す場合、相対的に長い時間をＣ−ＤＲＸ（CONNECTED Discontinuous Reception）の開始タイミングを定める第２のタイマーを設定する一方、前記使用状況を示す情報が、前記移動局装置の非使用を示す場合、相対的に短い時間を前記第２のタイマーに設定する処理と、前記移動局装置に対するパケットの送信が終了した時点で前記第２のタイマーを起動させ、前記第２のタイマーが満了した時点で制御信号を間欠的に送信する処理と、の一連の処理をコンピュータに実行させることを特徴とする。
【００５８】
また、本発明のプログラムは、前記使用状況を示す情報が、前記移動局装置の使用中を示す場合、相対的に長い時間を前記第１のタイマーに設定する処理と、前記使用状況を示す情報が、前記移動局装置の非使用を示す場合、パケット通信の発生をモニタリングする期間を定める第３のタイマーが満了しているかどうかを判断し、前記第３のタイマーが満了していない場合は、相対的に長い時間を前記第３のタイマーに設定する一方、前記第３のタイマーが満了している場合は、相対的に短い時間を前記第３のタイマーに設定する処理と、を更に含むことを特徴とする。
【００５９】
また、本発明のプログラムは、基地局装置と無線通信を行なう移動局装置のプログラムであって、ユーザの使用状況を判定する処理と、無線接続を確立するためのリクエストと共に、前記使用状況を示す情報を前記基地局装置に通知する処理と、前記基地局装置から制御信号を受信した後、アイドル状態に遷移する処理と、の一連の処理をコンピュータに実行させることを特徴とする。
【００６０】
また、本発明の無線通信方法は、移動局装置と無線通信を行なう基地局装置の無線通信方法であって、前記移動局装置から無線接続を確立するためのリクエストと共に、前記移動局装置の使用状況を示す情報を取得するステップと、前記使用状況を示す情報が、前記移動局装置の使用を示す場合、相対的に長い時間を第１のタイマーに設定する一方、前記使用状況を示す情報が、前記移動局装置の非使用を示す場合、相対的に短い時間を前記第１のタイマーに設定するステップと、前記移動局装置に対するパケットの送信が終了した時点で前記第１のタイマーを起動させ、前記第１のタイマーが満了した時点で前記移動局装置に対して制御信号を送信して前記移動局装置との無線接続を切断するステップと、を含むことを特徴とする。
【００６１】
また、本発明の基地局装置は、移動局装置と無線通信を行なう基地局装置であって、前記移動局装置から無線接続を確立するためのリクエストと共に、前記移動局装置の使用状況を示す情報を取得する無線通信部と、前記使用状況を示す情報が、前記移動局装置の使用を示す場合、相対的に長い時間を第１のタイマーに設定する一方、前記使用状況を示す情報が、前記移動局装置の非使用を示す場合、相対的に短い時間を前記第１のタイマーに設定するタイマー設定部と、前記移動局装置に対するパケットの送信が終了した時点で前記第１のタイマーを起動させ、前記第１のタイマーが満了した時点で前記移動局装置に対して制御信号を送信して前記移動局装置との無線接続を切断する無線制御部と、を備えることを特徴とする。
【００６２】
また、本発明の移動局装置は、基地局装置と無線通信を行なう移動局装置であって、ユーザによる自装置の使用状況を判定する使用状況判定部と、無線接続を確立するためのリクエストと共に、使用状況を示す情報を前記基地局装置に通知する通知部と、前記基地局装置から制御信号を受信してアイドル状態に遷移する制御部と、を備えることを特徴とする。
【００６３】
これらの構成により、ユーザが必要とするパケット通信を停止することなく、ユーザの使用状況に応じて移動局の消費電力を削減することが可能となる。
【符号の説明】
【００６４】
１０…基地局装置
１１…無線通信部
１３…タイマー設定部
１５…無線制御部
１７…タイマー
１９…制御バス
２０…移動局装置
２１…使用状況判定部
２３…通知部
２５…制御部
２７…制御バス
ステップＳ５…移動局の使用状態の判断
ステップＳ６…Short Release Timerの開始
ステップＳ７…Long Release Timerの開始
ステップＳ８…ＰＤＣＣＨを送信
ステップＳ１１…RRC Connection Releaseを移動局に送信し、無線接続を切断
ステップＴ…移動局の使用状態の判断
ステップＴ６…Short Release Timerの開始
ステップＴ７…Long Release Timerの開始
ステップＴ８…ＰＤＣＣＨを送信
ステップＴ１１…移動局にＣＤＲＸを開始させ、ＰＤＣＣＨを間欠的に送信
ステップＰ５…移動局の使用状態の判断
ステップＰ６…Monitoring Timerが満了しているかどうかを判断
ステップＰ７…Short Release Timerの開始
ステップＰ８…Long Release Timerの開始
ステップＰ９…Monitoring Timerの開始
ステップＰ１０…無線接続を維持
ステップＰ１２…Release Timerが満了しているかどうかを判断
ステップＰ１３…RRC Connection Releaseを移動局に送信し、無線接続を切断
【図１】
2015050577.tif 000003
【図２】
2015050577.tif 000004
【図３】
2015050577.tif 000005
【図４】
2015050577.tif 000006
【図５】
2015050577.tif 000007
【図６】
2015050577.tif 000008
【図７】
2015050577.tif 000009
【図８】
2015050577.tif 000010
【図９】
2015050577.tif 000011
【図１０】
2015050577.tif 000012
【図１１】
2015050577.tif 000013
【図１２】
2015050577.tif 000014
【図１３】
2015050577.tif 000015